【手続補正書】
【提出日】令和2年11月25日(2020.11.25)
【手続補正１】
【補正対象書類名】明細書
【補正対象項目名】０００５
【補正方法】変更
【補正の内容】
【０００５】
しかし、上記特許文献１では、保冷剤の格納部が設けられているために保冷剤の形状が限定されてしまう。従来、ビデオカメラでの撮影現場では、汎用の保冷剤により冷却を行っているため、保冷剤の形状が限定されてしまうと、汎用の保冷剤が使用できなくなってしまう不具合が生じる。ここで、汎用の保冷剤が使用でき、効率の良い冷却構造として、例えば、保冷剤と撮像装置が接触する箇所を撮像装置の外観面に設け、外観面と冷却対象の電子部品を熱電導部材より熱的に接続する構造が考えられる。しかし、このような構造では、外観面が高温になるため、撮影者が外観面の高温部に触れてしまう可能性がある。
【手続補正２】
【補正対象書類名】明細書
【補正対象項目名】０００７
【補正方法】変更
【補正の内容】
【０００７】
本発明は、冷却器を備える撮像装置であって、前記冷却器は、吸気口を備える第１のダクトと、前記第１のダクトと接続される第２のダクトと、排気口を備え、前記第２のダクトと接続される第３のダクトと、を有し、前記第２のダクトは第１の熱源と熱的に接続され、前記第３のダクトは前記第１の熱源よりも発熱量の大きい第２の熱源と接続され、前記吸気口から吸入された空気は前記第１のダクト、前記第２のダクト、前記第３のダクトの順に通過して前記排気口から排出されることを特徴とする。
【手続補正３】
【補正対象書類名】明細書
【補正対象項目名】００２０
【補正方法】変更
【補正の内容】
【００２０】
前述した通り、カメラ１では、メイン基板４００に実装された制御素子４０１ａ〜４０１ｉと撮像素子７０１が主要な熱源であって、放熱が必要な部品であり、その放熱構造に関して詳細に説明する。
【手続補正４】
【補正対象書類名】明細書
【補正対象項目名】００２１
【補正方法】変更
【補正の内容】
【００２１】
図４（ａ）はカメラ１の冷却ユニット５００（冷却器）を前方から見た斜視図、図４（ｂ）は冷却ユニット５００を上側後方から見た斜視図、図４（ｃ）は冷却ユニット５００を下側後方より見た斜視図である。図５（ａ）はカメラ１の冷却ユニット５００を上側前方から見た流路ごとの分解斜視図、図５（ｂ）は冷却ユニット５００を下側前方から見た流路ごとの分解斜視図である。
【手続補正５】
【補正対象書類名】明細書
【補正対象項目名】００２２
【補正方法】変更
【補正の内容】
【００２２】
図４及び図５で示す通り、冷却ユニット５００は、第１の流路５６０（第１のダクト）、第２の流路５７０（第２のダクト）、第３の流路５８０（第３のダクト）とファンユニット５９０ａ，５９０ｂを有し、冷却ユニット５００の内部に空気が流れるための空間を設けて構成される。冷却ユニット５００は、第１の流路５６０と第３の流路５８０が略平行に配置され、第２の流路５７０が第１の流路５６０に対して略直交する方向に配置されて第１の流路５６０と第３の流路５８０とが接続されて略コ字形状をなしている。空気を流す流路は次の通りである。
【手続補正６】
【補正対象書類名】明細書
【補正対象項目名】００３４
【補正方法】変更
【補正の内容】
【００３４】
第２の流路５７０を通過した空気は、前述した通り下側ダクト部材５１１の開口部５０９を通り第３の流路５８０を通過する。第３の流路５８０は、流路方向Ｃの向きに空気を流す流路であるとともに、メイン基板４００に実装された制御素子４０１ａ〜４０１ｉを冷却するための流路である。そのため、第３の流路５８０は、下側ダクト部材５１１、及びメイン基板４００を冷却するヒートシンク５１２により構成されている。前述した通り、制御素子４０１ａ〜４０１ｉは冷却が必要な素子であり、冷却のために、ヒートシンク５１２はフィン形状を有し、フィン形状の箇所に空気を通す構成となっている。
【手続補正７】
【補正対象書類名】明細書
【補正対象項目名】００３７
【補正方法】変更
【補正の内容】
【００３７】
第３の流路５８０を通過した空気は、前述した通りファンユニット開口５１３ａ，５１３ｂを通り第３の流路５８０の下側にあるファンユニット５９０ａ，５９０ｂに向けて流される。その後、空気は、ファンユニット５９０ａ，５９０ｂにより流路方向Ｄａ，Ｄｂの向きで排気口１１６から排気される。なお、本実施形態では、空気の流れを略直角に曲げて後方から空気を排出する為に、ファンユニット５９０ａ，５９０ｂにはシロッコファンを使用している。
【手続補正８】
【補正対象書類名】明細書
【補正対象項目名】００４１
【補正方法】変更
【補正の内容】
【００４１】
図９では、高温環境下で撮影する為に、カメラ１の上面外装部材５０１上に略直方体の保冷剤９００をのせて撮影を行っている。図１及び図９で示す通り、上面外装部材５０１は、比較的大きな平面部を有しているため、上面外装部材５０１にのせる保冷剤９００の形状は制限されることが少ない。具体的には、第１の吸気口１１５を塞がなければ、どのような形状の保冷剤９００でも使用することができる。保冷剤９００の温度が撮影環境の温度より低い温度であれば冷却効果が得られ、保冷剤９００の温度が低い程、冷却効果は高い。また、上面外装部材５０１は、カメラ１の主要な熱源であるメイン基板４００や撮像素子７０１とは遠い位置にあるため、これらからは熱が伝わり難く、上面外装部材５０１を手（指）等で触れても熱く感じることは少ない。
【手続補正９】
【補正対象書類名】明細書
【補正対象項目名】００４２
【補正方法】変更
【補正の内容】
【００４２】
保冷剤９００を使用した効率の良い冷却方法としては、保冷剤９００をのせる上面外装部材５０１と熱源を近い位置で配置し、上面外装部材５０１と熱源を熱伝導部材で接続する方法が一般的には考えられる。これに対してカメラ１では、上面外装部材５０１に保冷剤９００をのせることにより吸気した空気を冷却できる構成を採用している。そのため、冷却された空気を第二の流路５７０及び第三の流路５８０に流すことにより、効率良く主要熱源である撮像素子７０１及びメイン基板４００を冷却することができる。こうして、本実施形態においては保冷剤９００をのせる上面外装部材５０１と熱源が遠い構成であるにも関わらず、カメラ１では効率良く熱源を冷却できる構成を実現している。このようにして空気を冷却する構成に関して詳細に説明する。
【手続補正１０】
【補正対象書類名】明細書
【補正対象項目名】００５４
【補正方法】変更
【補正の内容】
【００５４】
常温環境下では、保冷剤９００を使用せず、且つ、第２の吸気口５１９を露出させない状態であっても撮影に問題は生じないが、撮像素子７０１の性質上、撮像素子７０１の温度が低い方がノイズが減少する。そのため、保冷剤９００を使用していない場合には、第２の吸気口５１９を露出させることで良好な画像を得ることができる。
【手続補正１１】
【補正対象書類名】特許請求の範囲
【補正対象項目名】全文
【補正方法】変更
【補正の内容】
【特許請求の範囲】
【請求項１】
冷却器を備える撮像装置であって、
前記冷却器は、
吸気口を備える第１のダクトと、
前記第１のダクトと接続される第２のダクトと、
排気口を備え、前記第２のダクトと接続される第３のダクトと、を有し、
前記第２のダクトは第１の熱源と熱的に接続され、
前記第３のダクトは前記第１の熱源よりも発熱量の大きい第２の熱源と接続され、
前記吸気口から吸入された空気は前記第１のダクト、前記第２のダクト、前記第３のダクトの順に通過して前記排気口から排出されることを特徴とする撮像装置。
【請求項２】
前記第１のダクトと前記第２のダクトは互いに略直交するように配置され、
前記第２のダクトと前記第３のダクトは互いに略直交するように配置されていることを特徴とする請求項１に記載の撮像装置。
【請求項３】
前記第１のダクトと前記第３のダクトは略平行に配置されていることを特徴とする請求項２に記載の撮像装置。
【請求項４】
前記第１のダクトは前記撮像装置の上面側に配置され、
前記第３のダクトは前記撮像装置の下面側に配置されていることを特徴とする請求項２に記載の撮像装置。
【請求項５】
前記第１の熱源は撮像素子を含むことを特徴とする請求項１乃至４のいずれか１項に記載の撮像装置。
【請求項６】
前記第１のダクトの外観面は、保冷剤の接触が可能であることを特徴とする請求項１乃至５のいずれか１項に記載の撮像装置。
【請求項７】
前記第１のダクトの外観面に複数のねじ挿通穴が設けられていることを特徴とする請求項１乃至６のいずれか１項に記載の撮像装置。
【請求項８】
前記ねじ挿通穴に挿通されるねじ部材のねじ溝を形成するためのリブ形状部が前記外観面の内部側に設けられ、
前記リブ形状部がフィン形状に形成されていることを特徴とする請求項７に記載の撮像装置。
【請求項９】
前記第２のダクトにヒートシンクのフィン形状部が設けられていることを特徴とする請求項１乃至７のいずれか１項に記載の撮像装置。
【請求項１０】
前記ヒートシンクの前記フィン形状部よりも前記第１のダクトの近くにおいて、前記第２のダクトに第２の吸気口が形成され、
前記第２の吸気口を開閉可能に覆う蓋部材が設けられていることを特徴とする請求項９に記載の撮像装置。